(57)【要約】  第三者により複製された電波を用いて移動局との通信を確立できないようにする無線通信システムを提供する。  ステップＳ１０１で基地局１００は、「報知情報」を移動局２００に送信する。ステップＳ１０２で移動局２００は、スクランブルコードＣを設定した「登録要求」を基地局１００に返送する。「報知情報」と「登録要求」は、予め決められているスクランブルコードＡでスクランブルを施す。ステップＳ１０３で基地局１００は、「登録応答」を移動局２００に返送する。ステップＳ１０４で移動局２００は、「応答確認」を基地局１００に返送する。「登録応答」と「登録応答」は、「登録要求」に設定されたスクランブルコードＣでスクランブルを施す。基地局１００が「応答確認」を受信すると、基地局１００と移動局２００の通信が確立され、以降の信号を送信するときにはスクランブルコードＣによりスクランブルが施される。
2016043054.tif 000002
【特許請求の範囲】
【請求項１】
無線通信を行う親局と子局を有する無線通信システムにおいて、
前記親局は、
報知情報を予め決められた第１のスクランブルコードでスクランブルを施して前記子局に送信する報知情報送信手段を備え、
前記子局は、
前記報知情報を受信すると第２のスクランブルコードを設定した登録要求を前記第１のスクランブルコードでスクランブルを施して前記親局に送信する登録要求送信手段を備え、
前記親局と前記子局との以降の通信データを前記第２のスクランブルコードでスクランブルを施すことを特徴とする無線通信システム。
【請求項２】
前記第２のスクランブルコードは、前記子局の個別番号を用いることを特徴とする請求項１に記載の無線通信システム。
【請求項３】
前記第２のスクランブルコードは、前記子局の電源オンからの時間を用いることを特徴とする請求項１に記載の無線通信システム。
【請求項４】
前記第２のスクランブルコードは、前記子局の電源オンからの時間を用いることを特徴とする請求項２に記載の無線通信システム。
【請求項５】
前記子局の電源オンからの時間は、予め決められた単位時間でカウントされることを特徴とする請求項３に記載の無線通信システム。
【請求項６】
前記子局の電源オンからの時間は、予め決められた単位時間でカウントされることを特徴とする請求項４に記載の無線通信システム。
【請求項７】
無線通信システムの子局に設けられる無線機であって、
予め決められた第１のスクランブルコードでスクランブルが施された報知情報を親局から受信する報知情報受信手段と、
前記報知情報を受信すると第２のスクランブルコードを設定した登録要求を前記第１のスクランブルコードでスクランブルを施して送信する登録要求送信手段とを備え、
以降の前記親局との通信データを前記第２のスクランブルコードでスクランブルを施すことを特徴とする無線機。
【請求項８】
無線通信システムの子局における無線通信方法であって、
予め決められた第１のスクランブルコードでスクランブルが施された報知情報を親局から受信する報知情報受信工程と、
前記報知情報を受信すると第２のスクランブルコードを設定した登録要求を前記第１のスクランブルコードでスクランブルを施して送信する登録要求送信工程とを備え、
以降の前記親局との通信データを前記第２のスクランブルコードでスクランブルを施すことを特徴とする無線通信方法。
【発明の詳細な説明】
【技術分野】
【０００１】
本発明は、例えばアナログＦＭ（frequency modulation、周波数変調）方式を利用した無線通信システム、無線機、及び無線通信方法に係り、特に無線で通信される音声信号やデータ（以下、「通信データ」という）にスクランブルを施すことで通信データを解読できないようにする無線通信システム、無線機、及び無線通信方法に関する。
【背景技術】
【０００２】
例えばアナログＦＭ方式の無線通信システムでは、近年、通信データの漏洩を防止するために様々な秘匿化を行うスクランブル処理が提供されている。このような秘匿化のための従来技術のスクランブル処理について、図面を参照して説明する。
従来技術によるアナログＦＭ方式の無線通信システム（以下、「無線通信システム」という）１０の構成を図５に示す。無線通信システム１０は、親局としての基地局１００と、子局としての複数の携帯端末などの移動局２００から構成され、基地局１００と移動局２００が無線で通信を行う。【０００３】
このような無線通信システム１０における基地局１００及び移動局２００の無線機３００の送信側及び受信側の処理について、図６を用いて説明する。【０００４】
まず、無線機３００の送信側の処理について、図６（１）を用いて説明する。ＤＳＰ（Digital Signal Processing）２０は、音声信号を音声信号スクランブル処理部２１に出力すると、音声信号スクランブル処理部２１が音声信号のスクランブルを施し、スクランブルを施した音声信号をＦＭ変調処理部２４に出力する。また、ＤＳＰ２０がデータをデータスクランブル処理部２２に出力すると、データスクランブル処理部２２がデータのスクランブルを施し、スクランブルを施したデータをＭＳＫ（minimum-shift keying）変調処理部２３に出力する。ＭＳＫ変調処理部２３は、スクランブルが施されたデータを入力すると、占有帯域を狭くする最小偏移変調を行いＦＭ変調処理部２４に出力する。このように、占有帯域を狭くする最小偏移変調を行うことで、雑音を少なくすることができる。ＦＭ変調処理部２４は、スクランブルが施された音声信号またはデータを入力すると、音声信号またはデータを搬送波（電波）に変調し、アンテナ２５により送信する。【０００５】
次に、無線機３００の受信側の処理について、図６（２）を用いて説明する。ＦＭ復調処理部２９は、アンテナ２５が受信したスクランブルが施された音声信号またはデータの搬送波を入力すると、搬送波を復調し、搬送波が音声信号の場合には音声信号デスクランブル処理部２６に出力し、搬送波がデータのときにはＭＳＫ復調処理部２８に出力する。音声信号デスクランブル処理部２６は、スクランブルが施された音声信号のスクランブルを解除すると、スクランブルを解除した音声信号をＤＳＰ２０に出力する。ＭＳＫ復調処理部２８は、スクランブルが施されたデータを最小偏移復調すると、データデスクランブル処理部２７に出力する。データデスクランブル処理部２７は、スクランブルが施されたデータのスクランブルを解除すると、スクランブルを解除したデータをＤＳＰ２０に出力する。【０００６】
次に、無線通信システム１０の基地局１００と移動局２００におけるスクランブルコードを受け渡す手順について、基地局１００と移動局２００が通信を確立までのシーケンス図である図７を用いて説明する。図７に示すように、まず、ステップＳ２０１において、基地局１００は、スクランブルコードＢを指定するときには、スクランブルコードＡを設定した「報知情報」を移動局２００に送信する。この「報知情報」については、予め決められているスクランブルコードＡでスクランブルを施す。次いで、ステップＳ２０２において、移動局２００は、「報知情報」を受信すると、移動局２００が登録を要求するときには「登録要求」を基地局１００に返送する。この「登録要求」については、予め決められているスクランブルコードＡでスクランブルを施す。次いで、ステップＳ２０３において、基地局１００は、「登録要求」を受信すると、「登録要求」を同意したことを通知する「登録応答」を移動局２００に返送する。この「登録応答」については、「報知情報」に設定されたスクランブルコードＢでスクランブルを施す。次いで、ステップＳ２０４において、移動局２００は、「登録応答」を受信すると、「登録応答」を確認したことを通知する「応答確認」を基地局１００に返送する。この「応答確認」については、スクランブルコードＢでスクランブルを施す。基地局１００が「応答確認」を受信すると、基地局１００と移動局２００の通信が確立され、以降の通信データを送信するときにはスクランブルコードＢによりスクランブルが施され、通信データを受信するときにはスクランブルコードＢによりスクランブルが解除される。【０００７】
従来は、このように無線通信システム１０における上位装置である基地局１００がスクランブルコードを指定し、基地局１００と移動局２００はこの指定されたスクランブルコードにより通信を確立している。例えば、特許文献１のデジタル移動無線システムでは、無線端末局が無線基地局から送信される「報知情報」に設定されるスクランブルコードにより無線端末局のスクランブルコードを変更することで、無線端末局が元々属する無線システムとは異なる通信ＣＨ（チャネル）用のスクランブルコードを使用する他の無線基地局と通信を確立することができるようにしている。
【先行技術文献】
【特許文献】
【０００８】
【特許文献１】特開２００５−２４４５７５
【発明の概要】
【発明が解決しようとする課題】
【０００９】
従来技術によるアナログＦＭ方式を利用した送信側の電波は、一般的に用いられている図８に示す機能構成の測定器３０により複製することができる。測定器３０が基地局１００の電波を複製する手順について、図８を用いて説明する。まず、モジュレーションアナライザー３２がアンテナ３１から受信する基地局１００の電波を復調し、復調した音声信号を受信側レコーダー３３に出力する。受信側レコーダー３３は受信した音声信号をオーディオ信号として録音し、録音したオーディオ信号を送信側レコーダー３４に複製する。送信側レコーダー３４は、録音されたオーディオ信号の複製が完了すると、オーディオ信号をシグナルジェネレーター３５に出力する。シグナルジェネレーター３５は、入力したオーディオ信号を復調してアンテナ３１から送信する。
このように、アナログＦＭ方式を利用した無線通信システム１０において、デジタル方式と同様に送信側の上位装置である基地局１００がスクランブルコードを指定した場合に、第三者が測定器３０で基地局１００から送信される電波を複製することができる。これにより、移動局２００と通信が確立できるので、許可されていない第三者による無線区間の電波ジャックが可能になるという問題があった。【００１０】
本発明はこのような状況に鑑みてなされたものであり、上記課題を解決できる無線通信システム、無線機、及び無線通信方法を提供することを目的とする。
【課題を解決するための手段】
【００１１】
本発明の無線通信システムは、無線通信を行う親局と子局を有する無線通信システムにおいて、前記親局は、報知情報を予め決められた第１のスクランブルコードでスクランブルを施して前記子局に送信する報知情報送信手段を備え、前記子局は、前記報知情報を受信すると第２のスクランブルコードを設定した登録要求を前記第１のスクランブルコードでスクランブルを施して前記親局に送信する登録要求送信手段を備え、前記親局と前記子局との以降の通信データを前記第２のスクランブルコードでスクランブルを施すことを特徴としている。
また、無線通信システムの前記第２のスクランブルコードは、前記子局の個別番号を用いることを特徴としている。
また、無線通信システムの前記第２のスクランブルコードは、前記子局の電源オンからの時間を用いることを特徴としている。
また、無線通信システムの前記子局の電源オンからの時間は、予め決められた単位時間でカウントされることを特徴としている。
また、本発明の無線機は、無線通信システムの子局に設けられる無線機であって、予め決められた第１のスクランブルコードでスクランブルが施された報知情報を親局から受信する報知情報受信手段と、前記報知情報を受信すると第２のスクランブルコードを設定した登録要求を前記第１のスクランブルコードでスクランブルを施して送信する登録要求送信手段とを備え、以降の前記親局との通信データを前記第２のスクランブルコードでスクランブルを施すことを特徴としている。
また、本発明の無線通信方法は、無線通信システムの子局における無線通信方法であって、予め決められた第１のスクランブルコードでスクランブルが施された報知情報を親局から受信する報知情報受信工程と、前記報知情報を受信すると第２のスクランブルコードを設定した登録要求を前記第１のスクランブルコードでスクランブルを施して送信する登録要求送信工程とを備え、以降の前記親局との通信データを前記第２のスクランブルコードでスクランブルを施すことを特徴としている。
【発明の効果】
【００１２】
本発明によれば、第三者が親局からの電波を複製して送信した場合でも、第三者により複製された電波を用いて子局との通信を確立できないようにする無線通信システム、無線機、及び無線通信方法を提供する。
【図面の簡単な説明】
【００１３】
【図１】本発明の実施の形態に係る基地局と移動局が通信を確立までのシーケンスを示す図である。
【図２】本発明の実施の形態係るエアフォーマットの構成とスクランブル手順を説明する図である。
【図３】本発明の実施の形態係るＰＮ（１５、１４）の構成を示す図である。
【図４】本発明の実施の形態に係るスクランブル処理とデスクランブル処理のフローチャートである。
【図５】無線通信システムの構成を示す図である。
【図６】無線機の送信側と受信側の処理の流れを示す図である。
【図７】従来技術に係る基地局と移動局が通信を確立までのシーケンスを示す図である。
【図８】従来技術に係る測定器の機能構成を示す図である。
【発明を実施するための形態】
【００１４】
本発明の実施の形態における無線通信システム１０の構成は、図５に示す無線通信システム１０に同じであり、基地局１００及び移動局２００の送信側と受信側の処理の流れは、図６に示す基地局１００及び移動局２００の送信側と受信側の処理の流れに同じである。本発明の実施の形態においては、無線通信システム１０のスクランブルコードを受け渡す手順が、従来のスクランブルコードを受け渡す手順と異なる。なお、図５に示す実施の形態としての無線通信システム１０では、親局として基地局１００、子局として移動局２００を例にあげているが、本発明において親局は基地局に限られるものではない。例えば、親局は、複数子局の主となる（複数子局は持っていない特別な機能を有する）無線機であってもよいし、移動局２００を統制管理する（例えば動作制限等を行う）親局無線機であってもよい。親局が動作制限を行うものである場合、移動局２００は親局と図１に示す通信を行うことによって所定時間動作制限を解除するように構成してもよい。また、図５の無線通信システムでは、子局としての無線端末として移動局を例にあげているが、必ずしも移動局ではなく固定的に使用される無線機であってもよい。
【００１５】
まず、本発明の実施の形態における無線通信システム１０の基地局１００と移動局２００におけるスクランブルコードを受け渡す手順について、基地局１００と移動局２００が通信を確立までのシーケンスである図１を用いて説明する。図１に示すように、まず、ステップＳ１０１において、基地局１００は、「報知情報」を移動局２００に送信する。この「報知情報」については、予め決められているスクランブルコードＡでスクランブルを施す。次いで、ステップＳ１０２において、移動局２００は、「報知情報」を受信すると、移動局２００が登録を要求し、スクランブルコードＣを指定するときには、スクランブルコードＣを設定した「登録要求」を基地局１００に返送する。この「登録要求」については、予め決められているスクランブルコードＡでスクランブルを施す。次いで、ステップＳ１０３において、基地局１００は、「登録要求」を受信すると、「登録要求」を同意したことを通知する「登録応答」を移動局２００に返送する。この「登録応答」については、「登録要求」に設定されたスクランブルコードＣでスクランブルを施す。次いで、ステップＳ１０４において、移動局２００は、「登録応答」を受信すると、「登録応答」を確認したことを通知する「応答確認」を基地局１００に返送する。この「応答確認」については、スクランブルコードＣでスクランブルを施す。基地局１００が「応答確認」を受信すると、基地局１００と移動局２００の通信が確立され、以降の通信データを送信するときにはスクランブルコードＣによりスクランブルが施され、通信データを受信するとスクランブルコードＣによりスクランブルが解除される。
【００１６】
次に、移動局２００の無線機３００のスクランブル処理とデスクランブル処理について説明する。スクランブル処理は、図６（１）に示す音声信号スクランブル処理部２１またはデータスクランブル処理部２２（以下、「スクランブル処理部」という）により行われる。デスクランブル処理は、図６（１）に示す音声信号デスクランブル処理部２６またはデータデスクランブル処理部２７（以下、「デスクランブル処理部」という）により行われる。
【００１７】
まず、基地局１００と移動局２００の無線区間で送受信される通信データの信号フォーマット（以下、「エアフォーマット」という）４０について、図２（１）を用いて説明する。図２（１）に示すように、エアフォーマット４０は、ビット同期信号４１、フレーム同期信号４２、及びメッセージ信号４３から構成されている。ビット同期信号４１及びフレーム同期信号４２は、アナログ簡易無線のＭＳＫフォーマットを使用する。このようなエアフォーマット４０は、例えば、変調速度は１２００ｂｐｓ、マーク周波数は１２００ＨZ「１」、スペース周波数は１８００ＨZ「０」である。
ビット同期信号４１は、送信される信号のビット検出タイミングを受信側に知らせるための図２（１）（ａ）に示すような１と０の２値からなる４８ビットのビット列である。
フレーム同期信号は、送信される信号のフレーム検出タイミングを受信側に知らせるための図２（１）（ｂ）に示すような１と０の２値からなる３１ビットのＭ系列符号（Maximum period sequence：最大周期系列符号）によりランダム化されたビット列である。Ｍ系列符号は、暗号化の鍵であるＰＮ符号（Pseudo Noise：疑似ランダム符号）における疑似乱数系列である。
メッセージ信号４３は、図２（１）（ｃ）に示すように、メッセージ電文（６４ビット）とＣＲＣ符号（１６ビット）から構成されるビット列である。ＣＲＣ符号は、メッセージ電文の信号誤りを検出する生成多項式（１＋Ｘ５＋Ｘ１２＋Ｘ１６）である。
【００１８】
このようなエアフォーマット４０に対するスクランブル手順について、図２（２）を用いて説明する。まず、図２（２）（ア）に示すようにエアフォーマット４０からメッセージ電文とＣＲＣ符号から構成されているメッセージ信号４３を取り出す。次いで、図２（２）（イ）に示すようにメッセージ信号４３にスクランブルコードＣによりスクランブルを施す。次いで、図２（２）（ウ）に示すようにスクランブルを施したメッセージ信号をエアフォーマット４０に格納する。なお、デスクランブル手順については、図２（２）（イ）において、「メッセージ信号４３をスクランブルコードＣによりスクランブルを解除」に変更する以外は、図（２）のスクランブル手順に同じである。
【００１９】
次に、図１に示すスクランブルコードＡとスクランブルコードＣについて説明する。
スクランブルコードＡは、基地局１００と移動局２００とにより予め決められている任意のコードとすることができる。例えば、基地局１００または移動局２００の製造番号の一部をスクランブルコードＡとすることができる。
スクランブルコードＣは、移動局２００が指定するスクランブルコードであり、移動局２００毎に異なる値とし、また、同一の移動局２００においても「登録要求」送信の都度異なる値になるようにする。このため、移動局１００の個別番号と、移動局１００の電源がオンされてからの時間とを用いてスクランブルコードＣの初期値を決定する。
【００２０】
このような移動局１００の個別番号と、移動局１００の電源がオンされてからの時間から生成されるスクランブルコードＣが例えば１５ビットのビット列であるときに、例えば個別番号が３ビット、カウント時間が１２ビットとなるように割り当てる。このような場合では、個別番号の３ビットにより８（＝２３）台の移動局２００が識別できる。また、カウント時間の１２ビット（４０９６＝２１2）でカウントが行われ、１カウント時間を５ｍｓｅｃとすると、４０９５×５msec＝２０４７５msec（２０．４７５秒）で１周となる。
【００２１】
また、メッセージ信号４３にスクランブルを施すためには、メッセージ信号４３のビット列に、初期値がスクランブルコードＣである図３に示すＰＮ符号であるＰＮ（１５、１４）を掛けてメッセージ信号４３のビット列のランダム化を行う。
ＰＮ（１５、１４）は、図３に示すようにＳ０からＳ１４の１５ビットが設けられているビット列である。このＰＮ（１５、１４）を順に１ビットずつ右にシフトさせ、Ｓ０ビットとＳ１ビットのＥｘＯＲ（排他的論理和）の値をＳ１4ビットの値とし、これを繰り返し行うことで次々に疑似乱数が生成される。つまり、ＰＮ符号の初期値にスクランブルコードＣを設定すると、スクランブルコードＣの疑似乱数が生成される。
【００２２】
次に、スクランブル処理部が実行するＰＮ（１５、１４）によるメッセージ信号４３のスクランブル手順について、図４（１）に示すフローチャートのステップ順に説明する。
【００２３】
（ステップＳ１１）
まず、スクランブル処理部が個別番号とカウント時間からなるスクランブルコードＣを作成する。カウント時間には、現在のカウント時間が設定される。なお、スクランブルコードＣには、パターン番号が付けられ、パターン番号はメッセージ信号４３に対応付けられて補助記憶装置などの記憶部（図示せず）に記憶される。
【００２４】
（ステップＳ１２）
次いで、スクランブル処理部がＰＮ（１５、１４）のレジスタ初期値にステップＳ１１で作成したスクランブルコードＣをセットする。
【００２５】
（ステップＳ１３）
次いで、スクランブル処理部がＰＮ（１５、１４）のレジスタのビット列のＳ０Ｓ１Ｓ２Ｓ３・・・・・を順に出力する。
【００２６】
（ステップＳ１４）
次いで、スクランブル処理部がメッセージ信号４３を入力すると、メッセージ信号４３の先頭からステップＳ１３で出力されるＰＮ（１５、１４）のビット列のＳ０Ｓ１Ｓ２Ｓ３・・・・・とのビット毎のＥｘＯＲ（排他的論理和）演算を行い、スクランブルを施したメッセージ信号４３を出力すると、スクランブル処理を終了する。
【００２７】
次に、デスクランブル処理部が実行するＰＮ（１５、１４）によるメッセージ信号４３のデスクランブル手順について、図４（２）に示すフローチャートのステップ順に説明する。
【００２８】
（ステップＳ２１）
まず、デスクランブル処理部がメッセージ信号４３に対応するパターン番号のスクランブルコードＣを記憶部２０ａから取り出す。
【００２９】
（ステップＳ２２）
次いで、デスクランブル処理部がＰＮ（１５、１４）のレジスタにステップＳ２１で取り出したスクランブルコードＣをセットする。
【００３０】
（ステップＳ２３）
次いで、デスクランブル処理部がＰＮ（１５、１４）のビット列のＳ０Ｓ１Ｓ２Ｓ３・・・・・を順に出力する。
【００３１】
（ステップＳ２４）
次いで、デスクランブル処理部は、スクランブルが施されたメッセージ信号４３を入力すると、メッセージ信号４３の先頭からステップＳ２３で出力されるＰＮ（１５、１４）のビット列のＳ０Ｓ１Ｓ２Ｓ３・・・・・とのビット毎のＥｘＯＲ（排他的論理和）演算を行い、スクランブルを解除したメッセージ信号４３を出力すると、デスクランブル処理を終了する。
【００３２】
以上により、無線通信システム１０において、送信側の上位装置である基地局１００がスクランブルコードを指定するのでなく、移動局２００がスクランブルコードを指定するので、第三者が測定器３０で基地局１００から送信される電波を複製した場合でも、スクランブルコードを複製することがでない。従って、移動局２００と通信が確立できないので、許可されていない第三者による無線区間の電波ジャックを防止することができる。
【００３３】
なお、実施形態においては、移動局１００の個別番号と、移動局１００の電源がオンされてからのカウント時間とからなるスクランブルコードＣとして説明したが、移動局２００毎に異なり、また「登録要求」送信の都度異なる値となる他のデータをスクランブルコードＣとすることが可能である。また、スクランブルコードＣを１５ビットのビット列とし、個別番号に３ビット、カウント時間に１２ビットを割り当てるようにしたが、これに限定されない。例えば、個別番号に５ビット、カウント時間に１０ビットを割り当てるようにすることも可能である。
【００３４】
このような、本発明の無線通信システム、無線機、及び無線通信方法は、第三者が基地局からの電波を複製して送信した場合でも、第三者により複製された電波を用いて移動局との通信を確立できないようにすることができる。
【００３５】
以上、具体的な実施の形態により本発明を説明したが、上記実施の形態は本発明の例示であり、この実施の形態に限定されないことは言うまでもない。
【００３６】
以上の実施態様の特徴をまとめると次のようになる。
（１）本発明の無線通信システムは、無線通信を行う親局と子局を有する無線通信システムにおいて、前記親局は、報知情報を予め決められた第１のスクランブルコードで スクランブルを施して前記子局に送信する報知情報送信手段を備え、前記子局は、前記報知情報を受信すると第２のスクランブルコードを設定した登録要求を前記第１のスクランブルコードでスクランブルを施して前記親局に送信する登録要求送信手段を備え、前記親局と前記子局との以降の通信データを前記第２のスクランブルコードでスクランブルを施すことを特徴としている。
（２）（１）の無線通信システムは、前記第２のスクランブルコードは、前記子局の個別番号を用いることを特徴としている。
（３）（１）または（２）の無線通信システムは、前記第２のスクランブルコードは、前記子局の電源オンからの時間を用いることを特徴としている。
（４）（３）の無線通信システムは、前記子局の電源オンからの時間は、予め決められた単位時間でカウントされることを特徴としている。
（５）（１）から（４）のいずれかの無線通信システムは、エアフォーマットのメッセージ信号に前記スクランブルが施されることを特徴としている。
（６）（１）から（５）のいずれかの無線通信システムは、前記第１のスクランブルコードでスクランブルが施された通信データは、前記第１のスクランブルコードでスクランブルを解除することを特徴としている。
（７）（１）から（５）のいずれかの無線通信システムは、前記第２のスクランブルコードでスクランブルが施された通信データは、前記第２のスクランブルコードでスクランブルを解除することを特徴としている。
（８）本発明の無線機は、無線通信システムの子局に設けられる無線機であって、予め決められた第１のスクランブルコードでスクランブルが施された報知情報を親局から受信する報知情報受信手段と、前記報知情報を受信すると第２のスクランブルコードを設定した登録要求を前記第１のスクランブルコードでスクランブルを施して送信する登録要求送信手段とを備え、以降の前記親局との通信データを前記第２のスクランブルコードでスクランブルを施すことを特徴としている。
（９）本発明の無線通信方法は、無線通信システムの子局における無線通信方法であって、予め決められた第１のスクランブルコードでスクランブルが施された報知情報を親局から受信する報知情報受信工程と、前記報知情報を受信すると第２のスクランブルコードを設定した登録要求を前記第１のスクランブルコードでスクランブルを施して送信する登録要求送信工程とを備え、以降の前記親局との通信データを前記第２のスクランブルコードでスクランブルを施すことを特徴としている。
【産業上の利用可能性】
【００３７】
本発明は、無線通信システム、無線機、及び無線通信方法に好適であるが、無線通信システム、無線機、及び無線通信方法に限られるものではなく、スクランブルを施す通信システム、通信装置、及び通信方法一般に適用可能である。
【符号の説明】
【００３８】
１０・・・・・・無線通信システム
２０・・・・・・ＤＳＰ
２０ａ・・・・・記憶部
２１・・・・・・音声信号スクランブル処理部
２２・・・・・・データスクランブル処理部
２３・・・・・・ＭＳＫ変調処理部
２４・・・・・・ＦＭ変調処理部
２５・・・・・・アンテナ
２６・・・・・・音声信号デスクランブル処理部
２７・・・・・・データデスクランブル処理部
２８・・・・・・ＭＳＫ復調処理部
２９・・・・・・ＦＭ復調処理部
３０・・・・・・測定器
３１・・・・・・アンテナ
３２・・・・・・モジュレーションアナライザー
３３・・・・・・受信側レコーダー
３４・・・・・・送信側レコーダー
３５・・・・・・シグナルジェネレーター
４０・・・・・・エアフォーマット
４１・・・・・・ビット同期信号
４２・・・・・・フレーム同期信号
４３・・・・・・メッセージ信号
４３ａ・・・・・メッセージ電文
４３ｂ・・・・・ＣＲＣ符号
１００・・・・・基地局（親局）
２００・・・・・移動局（子局）
３００・・・・・無線機
【図１】
2016043054.tif 000003
【図２】
2016043054.tif 000004
【図３】
2016043054.tif 000005
【図４】
2016043054.tif 000006
【図５】
2016043054.tif 000007
【図６】
2016043054.tif 000008
【図７】
2016043054.tif 000009
【図８】
2016043054.tif 000010
【国際調査報告】
2016043054.tif 000011
2016043054.tif 000012
2016043054.tif 000013
2016043054.tif 000014
2016043054.tif 000015
2016043054.tif 000016